(57)【要約】【課題】  ディスク装置の製造工程におけるピックアップに関する半田ショートの工数を減らすことを可能とし、さらに調整用の治具基板を不要とすることにより、コストの低減を可能とした、調整工程を簡略化したディスク装置の製造方法の提供。【解決手段】  トラバースユニットをディスク装置のフレームに組付ける工程（ステップ１１）と、制御基板をディスク装置の上部に載置する工程（ステップ１２）と、ピックアップ基板等と制御基板とを電気的に接続する工程（ステップ１３）と、ピックアップユニットに備えられるレーザ発光素子のアノード電極とカソード電極間の短絡を解除する工程（ステップ１４）とを経た後に、ピックアップユニットの調整を行い（ステップ１６）、当該調整工程におけるピックアップユニットの動作を、制御基板を使用して制御させる。【選択図】      図１
2005235251.tif 000002
【特許請求の範囲】
【請求項１】
ディスク媒体に対して情報の読取り、再生、或いは記録をするディスク装置の製造方法であって、前記ディスク装置に設置されるトラバースユニットに備えられるピックアップユニットからの信号の入出力をする基板と、前記ディスク装置の制御をする制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法。
【請求項２】
ディスク媒体に対して情報の読取り、再生、或いは記録をするディスク装置の製造方法であって、トラバースユニットを前記ディスク装置のフレームに組付ける工程と、前記ディスク装置の制御をする制御基板を当該ディスク装置の上部に載置する工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法。
【請求項３】
ディスク媒体に対して情報の読取り、再生、或いは記録をするディスク装置の製造方法であって、トラバースユニットを前記ディスク装置のフレームに組付ける工程と、前記ディスク装置の制御をする制御基板を当該ディスク装置に組付ける工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法。
【発明の詳細な説明】
【技術分野】
【０００１】
本発明は、ディスク装置の製造方法に関するものであり、特に、ピックアップに関する半田ショートの工数を減らすことができる、調整工程を簡略化したディスク装置の製造方法に関するものである。
【背景技術】
【０００２】
近年、ディスク装置は、ユーザーの種々のニーズに対応して、DVDプレーヤやCDプレーヤ等に限られず、テレビジョン受像機本体にも内蔵されるなど、その使用範囲は広範囲に及んでいる。従って、汎用性を高めるためにディスク装置はモジュール化されており、当該ディスク装置の製造工程においてはディスク装置単体での検査や調整等が行われている。
【０００３】
上述した、ディスク装置の調整工程の１つとして、ディスク装置に備えられるピックアップユニットのピックアップレンズが、ディスク媒体に対して適正な距離であって且つ平行となるように調整する工程がある。これはディスク媒体の信号を正確に読み込む、或いは、書き込むことができるようにするためのものである。
【０００４】
一方、ピックアップユニットに備えられるピックアップユニットからの信号の入出力をする基板（以下ピックアップ基板）には、レーザ発光素子のアノード電極とカソード電極との間を、半田付けすることによりショートすることができる回路が設けられており、ピックアップ基板とディスク装置制御基板等とが接続されていない状態においては半田ショート状態とされている。これは、レーザ発光素子が静電気に対して弱いため、作業者等から受ける静電気により、レーザ発光素子が劣化或いは破壊されることがないように、レーザ発光素子のアノード電極とカソード電極との間を短絡することで静電気がレーザ発光素子に流入しないようにするためのものである。ピックアップ基板とディスク装置制御基板等とが電気的に接続された状態においては、レーザ発光素子に静電気が流入することはほとんど無いため、半田ショートの必要は無い。
【０００５】
上記したごとく、レーザ発光素子のアノード電極とカソード電極との間は、ピックアップ基板とディスク装置制御基板等とが接続されていない状態においては半田ショート状態とされているが、半田ショートされた状態ではレーザ発光素子は発光動作を行うことはできず、レーザ発光素子を発光させるためには半田を外す必要がある。従って、ディスク装置の製造工程において、検査・調整などのために、ピックアップ基板と治具回路基板やディスク装置の制御基板等との接続・切離しがある場合には、半田付けと取外しを複数回繰り返す必要がある。しかし、このような半田付けと取外しの繰り返しは、煩雑な作業であるとともに、ピックアップ基板等の損傷を招くおそれがあった。
【０００６】
このような半田ショートに関する従来技術が特許文献１によって開示されている。特許文献１によって開示される従来技術は、ピックアップ基板と治具回路基板やディスク装置の制御基板等との接続がされた状態においての半田ショートの取外し作業において、半田ボールやフラックスが、前記基板同士を接続するコネクタ部分に浸入することを防止しようとするものである。
【０００７】
【特許文献１】特開平１１−２３８２４８号公報
【発明の開示】
【発明が解決しようとする課題】
【０００８】
従来、ディスク装置の製造工程は、光ピックアップ・光ピックアップ送り機構・ターンテーブル・スピンドルモータなどが備えられるトラバースユニットと、ディスク装置の制御をする制御基板とを別個に組立て・製造したのちに、ディスク装置のフレームに前記トラバースユニットや前記制御基板などを組み付けるというものであり、トラバースユニットに備えられるピックアップユニットの調整工程は、トラバースユニットをディスク装置に組付ける前に、トラバースユニット単体の状態で行っていた。すなわち、トラバースユニット単体を治具台の上に乗せて調整用の治具回路基板（制御基板の代用となるもの）とピックアップ基板等とを接続し、ピックアップレンズがディスク媒体に対して適正な距離であって且つ平行となるように調整するものであった。従って、上述してきたように、ピックアップ基板と治具回路基板との接続・切離しの前後に、ピックアップ基板上のレーザ発光素子を保護するための半田ショートの付け外しを行う必要があり、当該半田ショートの付け外し作業は煩雑な作業であるとともに、ピックアップ基板等が損傷を受ける場合があった。
【０００９】
本発明は、上記した問題に鑑み、ディスク装置の製造工程におけるピックアップに関する半田ショートの工数を減らすことを可能とし、さらに調整用の治具基板を不要とすることにより、コストの低減を可能とした、調整工程を簡略化したディスク装置の製造方法を提供することを目的とする。
【課題を解決するための手段】
【００１０】
請求項１の調整工程を簡略化したディスク装置の製造方法は、ディスク媒体に対して情報の読取り、再生、或いは記録をするディスク装置の製造方法であって、前記ディスク装置に設置されるトラバースユニットに備えられるピックアップユニットからの信号の入出力をする基板と、前記ディスク装置の制御をする制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする。
【００１１】
上記構成によれば、ピックアップユニットのピックアップレンズがディスク媒体に対して適正な距離及び角度となるように調整する工程において、ピックアップユニットの動作を、当該ディスク装置の製品としての構成部品である制御基板を使用して制御させることができ、別途調整用の治具基板を用意する必要がない。
【００１２】
請求項２の調整工程を簡略化したディスク装置の製造方法は、ディスク媒体に対して情報の読取り、再生、或いは記録をするディスク装置の製造方法であって、トラバースユニットを前記ディスク装置のフレームに組付ける工程と、前記ディスク装置の制御をする制御基板を当該ディスク装置の上部に載置する工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする。
【００１３】
上記構成によれば、ピックアップユニットの調整工程時には、トラバースユニットがディスク装置に組付けられている状態となる。また、ピックアップユニットの調整工程には、制御基板がディスク装置の上部に載置された状態でディスク装置が送られてくるため、ピックアップユニットの調整工程において、制御基板を適宜移動させることができる。
【００１４】
請求項３の調整工程を簡略化したディスク装置の製造方法は、ディスク媒体に対して情報の読取り、再生、或いは記録をするディスク装置の製造方法であって、トラバースユニットを前記ディスク装置のフレームに組付ける工程と、前記ディスク装置の制御をする制御基板を当該ディスク装置に組付ける工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする。
【００１５】
上記構成によれば、ピックアップユニットの調整工程時には、ディスク装置に制御基板が組みつけられている状態となる。
【発明の効果】
【００１６】
本発明の請求項１の、ディスク媒体に対して情報の読取り、再生、或いは記録をするディスク装置の製造方法であって、前記ディスク装置に設置されるトラバースユニットに備えられるピックアップユニットからの信号の入出力をする基板と、前記ディスク装置を制御する制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法によれば、ピックアップユニットの調整工程の前に、ピックアップ基板と、ディスク装置の製品としての構成部品である制御基板とが電気的に接続されることとなり、ピックアップユニットの調整工程において、別途調整用の治具基板を用意する必要がないため、コストの削減が図られると共に、ピックアップ基板と治具基板との着脱作業が不要となるため作業工数も削減される。また、ピックアップ基板と治具基板との着脱がないことによってピックアップ基板の半田ショートの付け外し作業が不要となるため、作業工数がさらに削減されると共に、ピックアップ基板の半田ショートの付け外し作業を、半田ショート外し１回のみとすることが可能であるため、ピックアップ基板等の損傷の危険性を低減させることができる。
【００１７】
本発明の請求項２の、ディスク媒体に対して情報の読取り、再生、或いは記録をするディスク装置の製造方法であって、トラバースユニットを前記ディスク装置のフレームに組付ける工程と、前記ディスク装置を制御する制御基板を当該ディスク装置の上部に載置する工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法によれば、ピックアップユニットの調整工程には、制御基板がディスク装置の上部に載置された状態でディスク装置が送られてくる。従って、ピックアップユニットの調整工程において制御基板を適宜移動させることができるため、調整用の治具台に適宜対応させることができる。また、トラバースユニットがディスク装置に組付けられている状態でピックアップユニットの調整が行われるため、トラバースユニット単体でピックアップユニットの調整を行い、その後ディスク装置にトラバースユニットの組付けを行った場合に比べ、組み付け時の誤差が生じないため、調整の精度がより高くなる。
【００１８】
本発明の請求項３の、ディスク媒体に対して情報の読取り、再生、或いは記録をするディスク装置の製造方法であって、トラバースユニットを前記ディスク装置のフレームに組付ける工程と、前記ディスク装置を制御する制御基板を当該ディスク装置に組付ける工程と、前記トラバースユニットに設置されるピックアップユニットからの信号の入出力をする基板と前記制御基板とを電気的に接続する工程と、前記ピックアップユニットに備えられるレーザ発光素子のアノード電極とカソード電極間の短絡を解除する工程とを経た後に、前記ピックアップユニットの調整を行い、当該調整工程における前記ピックアップユニットの動作を、前記制御基板を使用して制御させることを特徴とする調整工程を簡略化したディスク装置の製造方法によれば、ピックアップユニットの調整工程時には、ディスク装置に制御基板が組みつけられており、安定した状態で調整作業を行うことができると共に、制御基板の移動などの作業が不要であるため、作業効率に優れる。
【発明を実施するための最良の形態】
【００１９】
以下、本発明の具体的実施例について、図面を参照しながら説明する。なお、以下の実施態様は、本発明を具体化する際の一形態であって、本発明をその範囲内に限定するためのものではない。
【実施例１】
【００２０】
図１はディスク装置の製造工程の本実施例に関する部分の概略を示すフローチャートである。図２はディスク装置の一例の概略を示す斜視図であり、図３は同ディスク装置の制御基板２５が無い状態を示す平面図、図４は同底面図である。図５はトラバースユニットのピックアップユニットに関する機構のみの概略を示す平面図であり、図６は同底面図、図７は同側面図である。図８は、ピックアップユニット及びピックアップ基板の概略を示す斜視図と、ピックアップ基板上の半田ショート部分の拡大図である。
【００２１】
本実施例の製造方法の適用対象の具体例であるディスク装置２０は、図２〜４に示されるように、制御基板２５が、全体が概ね樹脂製のフレーム２４の上部に配置され、ディスク媒体を載置するためのトレイ２２はフレーム２４に対して摺動可能に設けられると共に、トラバースユニット２３が備えられる。さらに図５〜７に示されるようにトラバースユニット２３にはガイドシャフト５１が備えられ、ピックアップユニット８０はガイドシャフト５１によって、ディスク媒体８２の半径方向に往復移動可能となるように保持される。トラバースユニット２３には、ガイドシャフト５１のディスク媒体８２に対する距離及び角度を調節するための調整用ねじ７０が備えられ、当該調整用ねじ７０を締付け或いは緩めることによって、ガイドシャフト５１によって保持されるピックアップユニット８０のディスク媒体８２に対する距離及び角度が調整される。また、図８に示されるように、ピックアップ基板８１には、ピックアップユニット８０に備えられるレーザ発光素子（本実施例ではＣＤ用及びＤＶＤ用の２つ）のアノード電極とカソード電極を半田によって短絡するための短絡用パターン８７が備えられ、半田ショート８５がある状態においては、レーザ発光素子のアノード電極とカソード電極の間が短絡された状態となる。なお、本実施例における制御基板２５は、ディスク装置２０に備えられる駆動モータ等の制御又はピックアップユニット８０から入出力される信号の制御などを行う基板である。
【００２２】
本実施例のディスク装置の製造工程の概略を、図１を参照しつつ説明する。ステップ１１でディスク装置２０にトラバースユニット２３・トレイ２２・クランパー２１などを組付ける。当該組付けは、ディスク装置２０のフレーム２４に各構成部品を取り付けることによって行われる。次に、制御基板２５をディスク装置２０の上部に載置（単に置くだけでねじ止めはしない）し（ステップ１２）、トラバースユニット２３に備えられる基板（ピックアップ基板８１等）と制御基板２５とをフレキシブルケーブル２８等によって接続する（ステップ１３）。次に、ピックアップ基板８１上の半田ショート８５を取外し（ステップ１４）、ディスク装置２０を治具台（図示せず）に取付ける（ステップ１５）。なお、ステップ１２と１３は工程が逆（ステップ１３の後にステップ１２を行う）になっても構わない。同様に、ステップ１４と１５も工程が前後しても構わない。また、ステップ１５はステップ１１の次であっても構わない。
【００２３】
本実施例における治具台は、ディスク装置２０を取付ける場所の隣部に制御基板２５を取付ける場所があり、ディスク装置２０は、治具台に取付けた状態では図９に示すような状態となる。治具台には、ディスク装置２０の下部から調整用ねじ７０を回すための治具が備えられると共に、制御基板２５に信号を入出力するためのテストピンが備えられる。これにより、ピックアップユニット８０に備えられる対物レンズのディスク媒体８２に対する距離及び角度の調整は、ディスク装置２０が治具台に取付けられた状態で、治具台のテストピンが制御基板２５上の回路と接触して信号を入出力しながら、調整用ねじ７０を適宜回転することによって行われる（ステップ１６）。
【００２４】
ピックアップユニット８０の調整が終了したら、制御基板２５を、ねじ２７によってフレーム２４にねじ止めすることにより、ディスク装置２０に取付け（ステップ１７）、ディスク装置２０を治具台から取外す（ステップ１８）。なお、ステップ１７と１８は工程が逆（ステップ１８の後にステップ１７を行う）になっても構わない。
【００２５】
上述してきたごとく、本実施例の製造方法によれば、ピックアップユニット８０の調整工程において、従来必要とされていた調整時に制御基板２５の代用として使用する治具基板を必要としないため、コストの削減が図られる。また、図１１に示した従来の製造工程に比べて、ステップ１１２及びステップ１１６におけるトラバースユニット２３に備えられる基板（ピックアップ基板８１等）と治具基板とのフラットケーブル２８の着脱工程、及び、ステップ１１３及びステップ１１５におけるピックアップ基板８１上の半田ショート８５の付け外し工程が無いため、作業工程及び時間の大幅な短縮が図られる。さらに、本実施例によれば、ピックアップ基板８１上の半田ショート８５の付け外し作業を、ステップ１４における半田ショート８５の取外し工程１回のみとすることが可能であるため、ピックアップ基板８１等の劣化・損傷の危険性を減少させることができる。また、トラバースユニット２３がディスク装置２０に組付けられている状態でピックアップユニット８０の調整が行われるため、トラバースユニット２３単体でピックアップユニット８０の調整を行い、その後ディスク装置２０にトラバースユニット２３の組付けを行った場合に比べ、組み付け時の誤差が生じないため、調整の精度がより高いものとなる。
【００２６】
本実施例では、本発明のディスク装置の製造方法の適用対象として、トレイタイプのディスク装置を例にして説明してきたが、本発明の適用対象をこれに限るものではなく、搬入ローラーによりディスクを装置内へ挿入するスロットインタイプのディスク装置や、複数のディスクを装置内に収納可能なチェンジャータイプのディスク装置などに対しても適用できる。
【実施例２】
【００２７】
図１０は、ディスク装置の製造工程の、本実施例に関する部分の概略を示すフローチャートである。なお、実施例１と同様のものには実施例１と同一の符号を使用し、ここでの説明を省略する。また、本実施例の製造方法の使用対象となるディスク装置は、実施例１と同一のものを例として採上げ、以下、ディスク装置に関しては実施例１と同一の符号によって説明する。
【００２８】
本実施例における治具台（図示はしない）は、ディスク装置２０の下部から調整用ねじ７０を回すための治具が備えられると共に、制御基板２５に信号を入出力するためのテストピンが、治具台に設置されたディスク装置２０の上部から下降して、ディスク装置２０の上部に取付けられた制御基板２５上の回路と接触する構成となっている。これにより、ピックアップユニット８０のディスク媒体８２に対する距離及び角度の調整は、制御基板２５がディスク装置２０に取付けられた状態（図２の状態）のディスク装置２０を治具台に取付けた状態で、治具台のテストピンが制御基板２５上の回路と接触し、信号を入出力しながら、調整用ねじ７０を適宜回転することによって行われる（ステップ１０４）。
【００２９】
上記したような治具台を用いることにより、ピックアップユニット８０の調整工程前に制御基板２５をディスク装置２０に取付けることができ、本実施例ではステップ１０２において、制御基板２５をディスク装置２０にねじ２７によってねじ止めしている。このようにすることで、ディスク装置２０の治具台への取付け工程（ステップ１０３）が簡略化され、さらに作業工数が削減されると共に、早い段階で制御基板２５がディスク装置２０に取付けられるため、安定した状態で調整作業を行うことができる。なお、実施例１と同様に、ステップ１１とステップ１０２は工程が逆（ステップ１０２の後にステップ１１を行う）になっても構わないし、ステップ１０２とステップ１３、又は、ステップ１４とステップ１０３の順序が逆になっても構わない。
【００３０】
本実施例では、本発明のディスク装置の製造方法の適用対象として、制御基板がフレームの上部に備えられたディスク装置を例にして説明してきたが、本発明をこれに限るものではなく、制御基板がディスク装置の下部、或いは、側面などに配置されるディスク装置であっても、適宜治具台を対応させる等することによって、本発明を有効に適用することができる。
【図面の簡単な説明】
【００３１】
【図１】ディスク装置の製造工程の、実施例１に関する部分の概略を示すフローチャート
【図２】ディスク装置の一例の概略を示す斜視図
【図３】図２の制御基板２５が無い状態を示す平面図
【図４】ディスク装置の一例の概略を示す底面図
【図５】トラバースユニットのピックアップユニットに関する機構のみの概略を示す平面図
【図６】トラバースユニットのピックアップユニットに関する機構のみの概略を示す底面図
【図７】トラバースユニットのピックアップユニットに関する機構のみの概略を示す側面図
【図８】ピックアップユニット及びピックアップ基板の概略を示す斜視図と、ピックアップ基板上の半田ショート部分の拡大図
【図９】ディスク装置の一例の別の状態を示す斜視図
【図１０】ディスク装置の製造工程の、実施例２に関する部分の概略を示すフローチャート
【図１１】ディスク装置の製造工程の従来例の概略を示すフローチャート
【符号の説明】
【００３２】
２０    ディスク装置
２３    トラバースユニット
２５    制御基板
２８    フラットケーブル
５１    ガイドシャフト
７０    調整用ねじ
８０    ピックアップユニット
８１    ピックアップ基板
８５    半田ショート
８７    短絡用パターン
【図１】
2005235251.tif 000003
【図２】
2005235251.tif 000004
【図３】
2005235251.tif 000005
【図４】
2005235251.tif 000006
【図５】
2005235251.tif 000007
【図６】
2005235251.tif 000008
【図７】
2005235251.tif 000009
【図８】
2005235251.tif 000010
【図９】
2005235251.tif 000011
【図１０】
2005235251.tif 000012
【図１１】
2005235251.tif 000013